(57)【特許請求の範囲】
【請求項１】
少なくとも一方を開口を介して開放している収納空間を内部に有する収納家具において、前記収納空間の開口縁部近傍に取り付けたブラケットを利用してオプション部材を取り付けるようにしたオプション部材の取付構造であって、
前記ブラケットが、前記オプション部材を取り付け得る複数の異なる取付面を有し、その取付方向を変更することにより、異なる取付面を利用してオプション部材を選択的に取り付け得るものであることを特徴とするオプション部材の取付構造。
【請求項２】
ブラケットが、着脱可能なものであることを特徴とする請求項１記載のオプション部材の取付構造。
【請求項３】
ブラケットが、互いに直交する第１、第２の取付面を有する略Ｌ字状のものであり、第１の取付面を前記開口の巾方向に略沿って内方に張り出した状態で収納家具に取り付け前記第１の取付面を利用して第１のオプション部材を取り付ける第１の使用位置と、前記第１の取付面を開口の内方に張り出さない位置に退避させ、収納家具の内縁に略沿って奥行方向に延びるように配置した第２の取付面を利用して第２のオプション部材を取り付ける第２の使用位置とをとり得ることを特徴とする請求項１又は２記載のオプション部材の取付構造。
【請求項４】
第１の取付面が、第1のオプション部材を取り付けるための第1の取付孔を所定ピッチで複数有するものであり、第２の取付面が、第２のオプション部材を取り付けるための第２の取付孔を所定ピッチで複数有するものであることを特徴とする請求項３記載のオプション部材の取付構造。
【請求項５】
第１のオプション部材が、機器類等の物品を収納した物品収納体を収納家具に取り付けるための規格化された取付板であり、前記物品収納体を収納空間内に収納した状態で対向する開口縁部間に架け渡して取り付けられるものであり、第２のオプション部材が、少なくとも一部を収納空間内に収納した状態で取り付けられる棚板であることを特徴とする請求項３又は４記載のオプション部材の取付構造。
【請求項６】
ブラケットが、複数の異なる取付面に一オプション部材を取り付けるための取付孔をそれぞれ異なるピッチで有していることを特徴とする請求項１又は２記載のオプション部材の取付構造。
【発明の詳細な説明】
【０００１】
【発明の属する技術分野】
本発明は、内部に収納空間を有するキャビネット等の収納家具に棚板や規格化された取付板等のオプション部材を取り付ける際に好適に利用されるオプション部材の取付構造に関するものである。
【０００２】
【従来の技術】
内部に収納空間を有する収納家具として、例えば、機器類等を収納するためのキャビネットがある。この種のキャビネットは、通常、少なくとも前方が開口しており、この開口縁部の左右に、開口の巾方向に略沿って内方に張り出した状態で位置する前記機器類取り付けのための取付起立壁部を有している。前記機器類は、箱体状の機器類収納体内に収められており、この機器類収納体の前面にねじ止めする等して固定した取付板を介して前記キャビネットの取付起立壁部に取り付けられる。この取付板は、具体的には、機器類収納体より巾広なもので、その左右端部を、左右の取付起立壁部の前面に略重合させた状態でねじ止めする等の適宜の手段で取り付けられる。
【０００３】
【発明が解決しようとする課題】
しかしながら、この種の機器類収納用のキャビネットは、前記取付起立壁部が予め開口の内方に張り出した状態で固定されているため、収納空間の巾寸法に比べて開口の巾寸法が狭まることになる。そのため、例えば、この種のキャビネットにおいて、棚板の一部を収納空間内に挿入した状態で取り付けて使用する等の使用態様が取り難いという不具合があった。すなわち、収納空間内に棚板等を取り付ける態様をとりたい場合に、前記取付起立壁部が棚板の挿入作業の妨げとなるものであった。このように、この種のキャビネットは、棚板を取り付ける等の他の使用態様を取りたい場合に柔軟に対応することが難しく、逆に、棚板を取り付ける態様のキャビネットを利用して、前述したような機器類を取り付けることもまた難しいものであった。
【０００４】
【課題を解決するための手段】
上記の問題点を解決するために、本発明は、内部に収納空間を有する収納家具において、複数の異なる取付面を有するブラケットを利用し、このブラケットの取付方向を変更することにより種々のオプション部材の取付に柔軟に対応しようとするものである。
【０００５】
【発明の実施の形態】
すなわち、本発明は、少なくとも一方を開口を介して開放している収納空間を内部に有する収納家具において、前記収納空間の開口縁部近傍に取り付けたブラケットを利用してオプション部材を取り付けるようにしたオプション部材の取付構造であって、前記ブラケットが、前記オプション部材を取り付け得る複数の異なる取付面を有し、その取付方向を変更することにより、異なる取付面を利用してオプション部材を選択的に取り付け得るものであることを特徴とするものである。
【０００６】
このような構成において、例えば、この収納家具に機器類取り付け用の取付板を取り付ける場合には、前記ブラケットの一取付面を開口の巾方向に略沿って内方に張り出すようにして取り付け、前記ブラケットの一取付面に取付板の端部を略重合させた状態でねじ止めする等して取り付けるようにする。一方、棚板等を取り付ける使用態様を取る場合には、前記ブラケットの取付方向を変更して、一取付面が開口の内方に張り出さないように退避し、収納家具の内縁に略沿わせて配置した他の取付面を棚板の取付面とすれば、収納空間内にスムーズに棚板を挿入して取り付けることが可能となる。このように、本発明のオプション部材の取付構造は、ブラケットの取付方向を変えるだけで、異なる複数のオプション部材の取り付けに柔軟に対応し得るものである。特に、開口縁部近傍に設けたブラケットの取付面を利用してオプション部材を取り付けるような収納家具の場合、収納空間内に一部を挿入するような他のオプション部材を取り付ける際に前記ブラケットが挿入作業時の障害となる場合があった。しかしながら、本発明のような構成であると、一部を収納空間内に挿入する他のオプション部材を取り付ける際には、ブラケットの取付方向を変更することで開口の略全域を開放する取付状態が可能となり、ブラケットが他のオプション部材の取り付けの障害となることを有効に防止することができる。
【０００７】
好適な実施の形態としては、ブラケットが、着脱可能なものを挙げることができる。
さらに、具体的な実施の形態としては、ブラケットが、互いに直交する第１、第２の取付面を有する略Ｌ字状のものであり、第１の取付面を前記開口の巾方向に略沿って内方に張り出した状態で収納家具に取り付け前記第１の取付面を利用して第１のオプション部材を取り付ける第１の使用位置と、前記第１の取付面を開口の内方に張り出さない位置に退避させ、収納家具の内縁に略沿って奥行方向に延びるように配置した第２の取付面を利用して第２のオプション部材を取り付ける第２の使用位置とをとり得ることを特徴とするものが挙げられる。
【０００８】
ねじ等の取付具や、オプション部材に設けた爪部等を利用して、該オプション部材を所定位置に確実且つ簡単な取付方法で取り付け得るには、第１の取付面が、第1のオプション部材を取り付けるための第1の取付孔を所定ピッチで複数有するものであり、第２の取付面が、第２のオプション部材を取り付けるための第２の取付孔を所定ピッチで複数有するものであることが望ましい。
【０００９】
好適な実施の形態としては、第１のオプション部材が、機器類等の物品を収納した物品収納体を収納家具に取り付けるための規格化された取付板であり、前記物品収納体を収納空間内に収納した状態で対向する開口縁部間に架け渡して取り付けられるものであり、第２のオプション部材が、少なくとも一部を収納空間内に収納した状態で取り付けられる棚板であることが望ましい。
【００１０】
ブラケットの取付方向を変更することにより、同一種類のオプション部材を異なるピッチで取り付け得るようにするには、ブラケットが、複数の異なる取付面に一オプション部材を取り付けるための取付孔をそれぞれ異なる取付ピッチで有していることが望ましい。
【００１１】
【実施例】
以下、本発明の一実施例について図面を参照して説明する。
本実施例では、オプション部材の取付構造を、前方を開口Kを介して開放している収納空間Ｓを内部に有する収納家具たるキャビネット１に適用した場合について説明する。
【００１２】
このキャビネット１は、通常、機器類等を収納するために利用されるもので、図１及び図２に示すように、箱状のキャビネット本体２にブラケット３を介して第１のオプション部材たる取付板４や第２のオプション部材たる棚板５を取り付けるようにしている。
キャビネット本体２は、図１〜図３に示すように、内部に収納空間Ｓを有する前面側が開放している正面視略ロ字形のものである。このキャビネット本体２は、具体的には、一対の側板２１と、これら側板２１の上端縁同士及び下端縁同士をそれぞれ連結する一対の横板２２と、前記側板２１の後端縁同士をそれぞれ連結する背板（図示せず）とからなる。前記側板２１は、板金素材を折曲加工して形成したもので、キャビネット本体２の側面を形成する側板本体２１１と、この側板本体２１１の前縁から内方に向けて略直交方向に折り曲げてなりキャビネット本体２の前縁部を構成する前縁板部２１２と、この前縁板部２１２の内縁から収納空間Ｓの奥方に向けて略直交方向に折り曲げた内側板部２１３と、この内側板部２１３の先端縁からさらに側板本体２１１に向かって略直交方向に折り曲げた折曲縁部２１４とを具備している。
【００１３】
そして、本実施例では、前記キャビネット本体２の左右の内側板部２１３にビスｂで一対のブラケット３をそれぞれ取り付け、前記ブラケット３を利用して機器収納体６を取り付けるための取付板４や棚板５を取り付けるようにしている。すなわち、本実施例では、前記ブラケット３が、第1、第２の取付面３ａ、３ｂを有するものであり、このブラケット３の取付方向を変更することにより、異なる取付面３ａ、３ｂを利用して前記取付板４や棚板５を選択的に取り付け得るようにしている。
【００１４】
ブラケット３は、図１〜図３に示すように、板金素材を折曲加工して形成したもので、互いに直交する第1、第２の起立壁３１、３２により構成される横断面略Ｌ字形状のものである。第１の起立壁３１は、前記取付板４を取り付けるための第１の取付面３ａを構成するもので、上下方向に間欠的な位置に所定ピッチで設けたねじ孔７を有している。一方、第２の起立壁３２は、前記棚板５を取り付けるための第２の取付面３ｂを構成するもので、棚板５を支持するための取付具８を取り付け得るフック孔９を上下方向に間欠的な位置に所定ピッチで有している。
【００１５】
すなわち、このブラケット３は、図１、図４及び図５に示すように、第１の起立壁３１を開口Ｋの巾方向に略沿って内方に張り出した状態で前記第２の起立壁３２をキャビネット本体２の内側板部２１３にビスｂで取り付けた第１の使用位置Ｐと、図２、図６及び図７に示すように、第１の使用位置Ｐから前後方向に１８０度反転させ、前記第１の起立壁３１を開口Kの内方に張り出さない位置に退避させた状態で第２の起立壁３２をキャビネット本体２の内側板部２１３にビスｂで取り付けた第２の使用位置Ｑとを取り得るものである。そして、第１の使用位置Ｐにおいて前記第１の取付面３ａに設けたネジ孔７にネジＶを締着することにより取付板４を取り付け、第２の使用位置Ｑにおいて前記第２の取付面３ｂに設けたフック孔９に取り付けた取付具８を利用して棚板５を取り付けるようにしている。なお、このブラケット３は、着脱可能なもので、使用者が適宜、取付方向を変更後、ビスｂを利用してキャビネット本体２に取り付け得るものである。
【００１６】
取付板４は、所定寸法に規格化されたアルミ製の薄板状のもので、その裏面側に例えば電気機器類等が収納された箱状の機器収納体６をねじ止め等の適宜の手段で取り付けている。この取付板４は、その巾寸法を前記機器収納体６よりも若干巾広に設定されており、その左右端部にねじＶを挿通するための切欠４１を有している。そして、前記機器収納体６をキャビネット本体２に取り付ける際には、左右のブラケット３の第１の取付面３ａ間に機器収納体６を通過させ、取付板４の左右端部をブラケット３の第１の取付面３ａに略重合させた状態でねじ止めするとともに、必要に応じて他の部位をキャビネット本体２の適宜箇所に適宜手段で固定するようにしている。なお、この実施例では、最大３つの取付板４を上下方向に密接に配列してキャビネット本体２に取り付け可能としている。
【００１７】
棚板５は、板金素材を折曲加工して形成したものであり、前記ブラケット３の第２の起立壁３２に設けたフック孔９及びキャビネット本体２の側板２１の後端部側に前記フック孔９と同じ高さ位置及び同ピッチで設けたフック孔（図示せず）に取り付けた取付具８上に載せ設けられるものである。
このような構成のものにおいて、キャビネット本体２に前記取付板４を介して機器収納体６を取り付ける場合の手順について説明する。
【００１８】
先ず、前記ブラケット３を、図４及び図５に示すように、その第１の起立壁３１がキャビネット本体２の開口Ｋの巾方向に略沿って内方に向かって張り出すようにした状態で、第２の起立壁３２をキャビネット本体２の内側板部２１３にビスｂ等で数箇所を止めて取り付ける。しかる後、左右のブラケット３の第１の起立壁３１間に形成される開口を介して機器収納体６を通過させて収納空間Ｓ内に収納する。そして、左右のブラケット３の第１の取付面３ａの前面に取付板４の左右端部を略重合させた状態で、切欠４１から挿通したネジＶを第１の取付面３ａのねじ孔７に締着する。
【００１９】
一方、前記キャビネット本体２に棚板５を取り付ける場合には、先ず、ブラケット３を内側板部２１３に固定しているビスｂを取り外し、ブラケット３の取付方向を図１、図４及び図５に示す第１の使用位置Pから図２、図６及び図７に示す第２の使用位置Ｑへと変更する。すなわち、ブラケット３を第１の使用位置Ｐから前後方向に１８０度反転して、第２の起立壁部３２をビスｂを介して内側板部２１３に取り付ける。この時、ブラケット３は、図６及び図７に示すように、第１の起立壁部３１が、側板２１の厚み内に収まるように、側板２１の折曲縁部２１４の後方に略重合状態で位置している。そして、この第２の使用位置Ｑで、ブラケット３の第２の取付面３ｂ及び側板２１の後端部近傍に設けたフック孔９に取付具８を取り付けた後、棚板５をキャビネット本体２の開口Ｋから挿入し前記取付具８上に添え設ける。このとき、ブラケット３が、キャビネット本体２の開口縁部に略沿ってその内方に張り出さない状態で取り付けられているため、挿入作業時の妨げとならず、棚板５をスムーズに収納空間Ｓ内に挿入することができる。
【００２０】
このような構成のものであると、ブラケット３の取付方向を変えるだけで、１つのブラケットで異なる複数のオプション部材の取り付けに柔軟に対応することが可能となる。特に収納空間Ｓの開口縁部近傍に設けた取付面を利用してオプション部材を取り付ける収納家具の場合、収納空間Ｓ内に一部を挿入するような他のオプション部材を取り付ける際に、前記取付面が挿入作業時の障害となる場合があった。しかしながら、本実施例のような構成であると、棚板５等の他のオプション部材を取り付ける際には、ブラケット３の取付方向を変更することにより開口Kの略全域を開放するようにすれば、ブラケット３が棚板５の取付作業時の障害となることを有効に防止することができる。
【００２１】
ブラケット３が、着脱可能なものであるので、使用者が手持ちのオプション部材に対応させてブラケット３の取付方向を適宜変更すれば、キャビネット１を種々の使用形態を取り得るものとして利用することが可能となる。
ブラケット３が、互いに直交する第１、第２の取付面３ａ、３ｂを有する略Ｌ字状のものであり、第１の取付面３ａを前記開口Ｋの巾方向に略沿って内方に張り出した状態でキャビネット本体２に取り付け、前記第１の取付面３ａを利用して取付板４を取り付ける第１の使用位置Ｐと、前記第１の取付面３ａを開口Ｋの内方に張り出さない位置に退避させ、キャビネット本体２の内縁に略沿って奥行方向に延びるように配置した第２の取付面３ｂを利用して棚板５を取り付ける第２の使用位置Qとをとり得るので、取付板４を介して機器収納体６を取り付けて前記キャビネット１を機器収納用家具として利用する一使用形態と、棚板５を取り付けて、棚板５上に書類やパソコン等の機器類等を載せ設ける他の使用形態とを使用者が適宜選択し得るものである。
【００２２】
第１の取付面３ａが、取付板４を取り付けるためのネジ孔７を所定ピッチで複数有するものであり、第２の取付面３ｂが、棚板５を取り付けるためのフック孔９を所定ピッチで複数有するものであるので、ネジや爪部等の取付具を利用して、オプション部材を所定位置に確実且つ簡単な取付作業で取り付けることが可能となる。
【００２３】
なお、本発明における構成は、以上説明したものに限定されないのは勿論である。例えば、本実施例では、オプション部材として機器収納体の取付板や棚板を例に挙げたが、オプション部材がこれに限定されないのは勿論である。さらに、ブラケットの構成も上述したものに限定されない。また、異なる取付面に同種類で異なるピッチの取付孔を設け、ブラケットの取付方向を変更することによりオプション部材の取付ピッチを適宜変更するようにしてもよい。さらに、本実施例のブラケットは、着脱可能であり、使用者が適宜、使用形態に合わせて取付方向を容易に変更し得るものであったが、該ブラケットが製造時に予めキャビネット本体２に固定されているものであってもよい。このようなものであっても、ブラケットの取付方向を変更することで、１種類のブラケットを利用して種々の使用形態のキャビネットを製造することができる。そのため、種々異なる使用形態を取るキャビネットに対応させて各々に別のブラケットを製造する手間が省け、加工工数の軽減や低コスト化を図ることが可能となる。さらに、本実施例では、第１のオプション部材が、機器類等の物品を収納した物品収納体を収納家具に取り付けるための規格化された取付板である場合について説明したが、これに限定されず、第１のオプション部材が、物品収納体であり、その一部をブラケットに取り付けるものであったり、物品収納体と取付板が予め一体的に固定されているものであってもよい。
【００２４】
その他の構成も本発明の趣旨を逸脱しない範囲で種々変形が可能である。
【００２５】
【発明の効果】
本発明は、以上説明したような構成で実施され以下に記載されるような効果を奏する。
すなわち、本発明は、収納家具にオプション部材を取り付けるためのブラケットが、複数の異なる取付面を有し、その取付方向を変更することにより、異なる取付面を利用してオプション部材を選択的に取り付け得るものであるので、ブラケットの取付方向を変えるだけで、１つのブラケットで異なる複数のオプション部材の取り付けに柔軟に対応し得るものである。特に収納空間の開口縁部近傍に設けたブラケットを利用してオプション部材を取り付ける収納家具の場合、収納空間内に一部を挿入するような他のオプション部材を取り付ける際、前記ブラケットの取付面が挿入作業時の障害となる場合があったが、本発明のような構成であると、他のオプション部材を取り付ける際に、ブラケットの取付方向を変更することにより開口の略全域を開放するようにすれば、前記ブラケットが他のオプション部材の取り付けの障害となることを有効に防止することができる。
【００２６】
ブラケットが、着脱可能なものであるならば、使用者が手持ちのオプション部材に対応させてブラケットの取付方向を任意に変更し、種々の使用形態を取ることができる。
ブラケットが、互いに直交する第１、第２の取付面を有する略Ｌ字状のものであり、第１の取付面を前記開口の巾方向に略沿って内方に張り出した状態で収納家具に取り付け前記第１の取付面を利用して第１のオプション部材を取り付ける第１の使用位置と、前記第１の取付面を開口の内方に張り出さない位置に退避させ、収納家具の内縁に略沿って奥行方向に延びるように配置した第２の取付面を利用して第２のオプション部材を取り付ける第２の使用位置とをとり得るならば、例えば、開口縁部近傍に取り付けるようなオプション部材の場合にはブラケットを第１の使用位置に位置付け、一方、収納空間内に一部を挿入して取り付けられるようなオプション部材の場合には、ブラケットを第２の使用位置に位置付けて該ブラケットがオプション部材挿入の妨げとなることを有効に防止することができる。
【００２７】
第１の取付面が、第1のオプション部材を取り付けるための第1の取付孔を所定ピッチで複数有するものであり、第２の取付面が、第２のオプション部材を取り付けるための第２の取付孔を所定ピッチで複数有するものであるならば、ねじ等の取付具や、オプション部材に設けた爪部等を利用して、該オプション部材を所定位置に確実且つ簡易な取付作業で取り付けることが可能となる。
【００２８】
第１のオプション部材が、機器類等の物品を収納した物品収納体を収納家具に取り付けるための規格化された取付板であり、前記物品収納体を収納空間内に収納した状態で対向する開口縁部間に架け渡して取り付けられるものであり、第２のオプション部材が、少なくとも一部を収納空間内に収納した状態で取り付けられる棚板であるならば、機器収納用の収納家具を、書類や他の収納物品を棚板に載せ設けて収納できる家具としても利用することが可能となる。
【００２９】
ブラケットが、複数の異なる取付面に一オプション部材を取り付けるための取付孔をそれぞれ異なるピッチで有しているならば、ブラケットの取付方向を変更することにより、同一種類のオプション部材を異なる取付ピッチで取り付けることが可能となる。
【図面の簡単な説明】
【図１】本発明の一実施例における一使用状態を示す斜視図。
【図２】同他の使用状態を示す斜視図。
【図３】同要部を示す一部を破断した状態の分解斜視図。
【図４】同一使用状態における一部を破断した状態の要部を示す斜視図。
【図５】同図４に対応する要部を示す横断面図。
【図６】同他の使用状態における一部を破断した状態の要部を示す斜視図。
【図７】同図６に対応する要部を示す横断面図。
【符号の説明】
１…収納家具（キャビネット）
３…ブラケット
３ａ…第１の取付面
３ｂ…第２の取付面
４…取付板
５…棚板
６…物品収納体（機器収納体）
７…第１の取付孔（ねじ孔）
９…第２の取付孔（フック孔）
Ｋ…開口
Ｐ…第１の使用位置
Ｑ…第２の使用位置
Ｓ…収納空間
【図１】
0003655518.tif 000002
【図２】
0003655518.tif 000003
【図３】
0003655518.tif 000004
【図４】
0003655518.tif 000005
【図５】
0003655518.tif 000006
【図６】
0003655518.tif 000007
【図７】
0003655518.tif 000008